Podtech/llm-jp-corpus-v4-ja_patent huggingface dataset:
(57)【要約】      （修正有）【課題】写真のデータが一目で分かるようにする。【解決手段】写真立て１に入れられている写真２３の内容が記載されているデータ部３を視覚可能に備える。【選択図】図１
2006043337.tif 000002
【特許請求の範囲】
【請求項１】
写真立てに入れられている写真の内容が記載されているデータ部を視覚可能に備えている写真立て。
【請求項２】
前記データ部は、写真立てに対して着脱可能である請求項１に記載の写真立て。
【発明の詳細な説明】
【技術分野】
【０００１】
本発明は、写真立て関し、詳しくは、写真の人物の個人データや各種記念日を一目で分かるようにした写真立てに関する。
【背景技術】
【０００２】
従来、遺影や子供の誕生・結婚式等の記念写真は、その写真を写真立てに入れて飾っている。
【発明の開示】
【発明が解決しようとする課題】
【０００３】
ところで、前記記念写真は、時間が経つにつれて、たとえば遺影である場合、戒名、故人の生年月日、命日、年忌法要日等のデータを忘れがちであり、それが、古ければ古いほどわからなくなっているのが現状である。
家庭によっては、前記個人データが記載された過去帳を持っている場合もあるが、この過去帳にしても、文字のみであるため、遺影とデータを一致させにくいものである。
なお、本願発明に関連する先行技術文献情報については、本出願人の知り得る範囲において存在しない。
【０００４】
そこで、本発明は、写真のデータが一目で分かるようにすることを課題とし、この課題を解決する写真立ての提供を目的とする。
【課題を解決するための手段】
【０００５】
前記目的を達成するために本発明が採用した技術的手段は、写真立てに入れられている写真の内容が記載されているデータ部を視覚可能に備えている写真立てにしたことである。（請求項１）
また、前記データ部は、写真立てに対して着脱可能とすることが好ましい。（請求項２）
【０００６】
本発明で云うデータ部に記載される内容は、写真が遺影である場合には、前記したように戒名、本名、故人の生年月日、命日、年忌法要日等であり、写真が誕生記念写真であれば、名前、生年月日、時間、体重、身長、お宮参り年月日、七五三年月日、入進学年月日、成人式年月日等であり、写真が結婚記念写真であれば、新郎新婦の名前、結婚式年月日、時間、結婚式場、披露宴場所等である。
また、本発明は、人物写真に限定するものではなく、たとえば、ペットを飼い始めの写真やペットの遺影、さらには、新築した家の写真や建替え前と建替え後の家の写真等の全ての記念写真が対象であり、当該写真のデータはこれらに合わせた内容とする。
【０００７】
前記データ部は、その内容をプレートに彫ったり印刷したりすることによって容易に消えないようにして、写真立てに写真と一緒に入れてもよいし、写真立ての正面側の透明なアクリル板やガラス板に彫ったり印刷したりしてもよい。
また、写真立ての裏面の取り外し可能な押さえ板に前記プレートを貼り付けてもよいし、データの内容を直接彫ったり印刷したりしてもよい。
いずれの場合でも、データの内容が容易に消えないようにすることが大切である。
【０００８】
本発明の写真立ては、写真一枚用のものでもよいし、写真が２枚または３枚入れることができる２つ折りや３つ折りの折り畳み式のいずれのものも包含する。
また、本発明の写真立ては、額縁タイプのものや透明なアクリル板やガラス板を２枚重ね合わせたタイプのいずれのものも包含する。
さらに、本発明の写真立ては、置き型や壁掛け型のいずれのものも包含する。
【０００９】
データ部の位置は、写真一枚用の写真立ての場合、縦置きであれば上半部を写真スペースとし、下半部にデータ部を備え、横置きであれば左右の何れか一半部を写真スペースとし他半部にデータ部を備えることが例示できる。
また、折り畳み式の写真立てにおいては、何れか一面側に写真を入れ、他面側にデータ部を備えることが例示できる。
【発明の効果】
【００１０】
本発明によれば、写真立てに写真の内容が記載されたデータ部を備えたことによって、その写真の記念日等が一目で分かり、大事な記念等を忘れてしまうようなことを防止することができる。
また、請求項２の発明によれば、データ部を着脱可能にしたことによって、他の写真及びこの写真の内容に変えることができる。
【発明を実施するための最良の形態】
【００１１】
以下、本発明を実施するための最良の形態を図１および図２に基づいて説明する。
本形態の写真立て１は、２枚の写真が入れられるものと同様な構成の折り畳み式のものであり、図面上左側を写真入れスペース２とし、右側をデータ部３としている。
【００１２】
写真入れスペース２は、額縁２Ａに挿入される表面側のガラス板２１と裏面側の取り外し可能な押さえ板２２の間に写真２３を挟み込む周知のものである。
データ部３は、薄状の金属プレート３１に写真の内容を彫ったものであり、この金属プレート３１を表面側のガラス板３２と裏面側の取り外し可能な押さえ板３３とで前記写真入れスペース２と同様に挟むようにして配してなる。
なお、本発明では、前記金属プレートに限定するものではなく、プラスティックプレート、厚紙プレート等でもよいものである。
【００１３】
このようにした写真入れ１は、開いた状態で任意の場所に立てておけば、この写真２３の内容が記載されたデータ部３が写真２３と共に視認できるので、当該写真２３に関する記念日が一目で分かり、その上、その記念日を忘れるようなことはない。
また、前記押さえ板２２，３３を取り外せば、他の写真および金属プレートに交換することができる。  
【００１４】
写真立て１の他の形態としては、図３に示すように、一枚の写真用のもの可能であり、この場合、写真立て１の上半部を写真入れスペース２とし、下半部をデータ部３としたものでもよい。
このようにした写真立て１によっても、この写真２３の内容が記載された金属プレート３１が写真２３と共に視認できるので、当該写真２３に関する記念日が一目で分かり、その上、その記念日を忘れるようなことはなく、しかも、壁掛けタイプのものとしても使用できる。
なお、本形態の写真立ても、額縁に挿入される表面側のガラス板と裏面側の取り外し可能な押さえ板の間に写真および金属プレートを挟み込む周知のものである。
【００１５】
本発明は、前記実施の形態で例示した構成に限定されるものではなく、特許請求の範囲の各項に記載された内容から逸脱しない範囲での実施が可能である。
【図面の簡単な説明】
【００１６】
【図１】本発明に係る写真立ての一例を示す斜視図。
【図２】図１の正面図。
【図３】本発明に係る写真立ての一例を示す斜視図。
【符号の説明】
【００１７】
１：写真立て
２：写真入れスペース
３：データ部
２１：ガラス板
２２：押さえ板
２３：写真
３１：金属プレート
３２：ガラス板
３３：押さえ板
【図１】
2006043337.tif 000003
【図２】
2006043337.tif 000004
【図３】
2006043337.tif 000005
(57)【要約】      （修正有）【課題】この発明は、板状の磁石や遠赤外線を放射する鉱物を鉢巻に縫合固定することにより、人体頭部に微弱な磁界や遠赤外線を発生させて頭部の血行を促進させ脳の活性化をはかろうとするものである。【解決手段】磁石や鉱物を板状に練りこんだゴム板またはプラスチック板または繊維状物質を鉢巻の中央部に縫いこむことにより人体の前頭部に磁界や遠赤外線射を与える。また鉢巻の材質は発汗を促進し冷却作用を促進する材質を使用する。【選択図】図１
2006043334.tif 000002
【特許請求の範囲】
【請求項１】
板状の磁石や遠赤外線などを発生する鉱物を内包する鉢巻
【発明の詳細な説明】
【技術分野】
【０００１】
本発明は、人体頭部の血行を促進して頭脳の覚醒をはかって脳を活性化させ、学習効果の向上や能力増進に役立てようとするものである。
【背景技術】
【０００２】
従来バンダナや帽子、ベルト状、ブラジャーなどの形態のものはあったが、鉢巻は存在しない。
【発明の開示】
【発明が解決しようとする課題】
【０００３】
従来のものは、磁石や鉱物が小粒で分散したものを取り付ける方式であり、効果が局所的で取り付けに手間がかかる。また肌からの熱が発散されにくい構造なっている。
【課題を解決するための手段】
【０００４】
この改善策として磁石磁石や鉱物を板状に練りこんだゴムまたはプラスチック板または繊維状物質を板状に成形したものを、鉢巻の中央部に縫いこむことにより解決する。また鉢巻の材質は発汗を促進し冷却作用を促進する材質を使用して熱の発散をはかる。
【発明の効果】
【０００５】
この鉢巻を結ぶことにより微弱な磁力または遠赤外線が血液の循環を促し、脳の働きを促進させる。またプラシーボ現象といわれる心理的効果により覚醒とやる気を喚起することが出来る。
【発明を実施するための最良の形態】
【０００６】
通常のように鉢巻を頭部に結ぶ事によって前頭部に直接磁界や遠赤外線の放射させ、効果を発揮させる。肌にあたる部分には発汗性能の高い材質を用い着け心地よいものとする。
【図面の簡単な説明】
【０００７】
【図１】効果板内包鉢巻正面図
【図２】効果板内包鉢巻側面図
【符号の説明】
【０００８】
（イ）鉢巻表地
（ロ）鉢巻裏地
（ハ）効果板
【図１】
2006043334.tif 000003
【図２】
2006043334.tif 000004
(57)【要約】【課題】  終日使用可能な、脱落しにくい仮性包茎矯正具を提供する。【解決手段】  偏平状の布製又は、メッシュ製の紐（１）を輪にして、巻き込み防止策をとったストッパー（２）を設け、くぐす。さらに緩まないようにストッパー（３）を設ける。【選択図】  図１
2006043379.tif 000002
【特許請求の範囲】
【請求項１】
偏平状の布製又はメッシュ製の紐（１）を輪にして、巻き込み防止策をとったストッパー（２）にくぐし、さらにストッパー（３）で緩まないようにして、亀頭冠を囲むようにして密着して装着する仮性包茎矯正具。
【発明の詳細な説明】
【発明の詳細な説明】
【技術分野】
【０００１】  この発明は、脱落しにくく、終日取り付けることによって仮性包茎を矯正する仮性包茎矯正具に関するものである。
【背景技術】
【０００２】  従来より、仮性包茎を矯正する器具はありましたが、シリコンと言えども堅い物でありました。そして終日装着できるものではなく、脱落の危険性があるため夜だけの使用と限られていた。
【発明が解決しようとする課題】
【０００３】  これには次のような欠点があった。
イ）シリコンで作ったリングがありましたが、夜に装着しているとは言え、寝返りして下敷きになったりすると痛かった。
ロ）堅いとか、脱落の危険性があったため、終日使用できない物であった。
本発明は、以上の欠点を解決するためになされたものである。
【課題を解決するための手段】
【０００４】偏平状の布製又は、メッシュ製の紐（１）を輪にして、巻き込み防止策をとったストッパー（２）を設け、くぐす。さらに緩まないようにストツパー（３）を設ける。
本発明は、以上の構成よりなる仮性包茎矯正具である。
【発明を実施するための最良の形態】
【０００５】  以下、本発明の実施の形態を説明する。
イ）偏平状（厚さ３ｍｍ弱幅７ｍｍ弱）の布製又はメッシュ製の紐（１）を設ける。
ロ）尿道口の下の筋の巻き込み防止策をとったストッパー（２）を設けくぐす。
ハ）さらに緩まないようにストッパー（３）を設けくぐす。
本発明は、以上の構成よりなっている。
本発明を使用するときは、終日使用して、脱落しないようにするには、装着の仕方が重要である。偏平状の布製の紐（１）の裏面には縫い目によるスベリ止めを施し、メツシュ製の紐（１）の裏にはシリコン樹脂によるスベリ止めを施す。装着方法は、輪の部分を亀頭直下の冠状溝と呼ばれる包皮が反転している部分に密着して亀頭冠を囲むように縛らず、尿道口の下の筋の巻き込み防止策をとったストッパー（２）で止める。さらにストッパー（３）で緩まないようにするものである。本発明での脱落の危険性がある装着は、亀頭冠と紐（１）の間に脇でも下でも包皮が入ったままでいると脱落する恐れがあるので特に注意しなければならない。
【発明の効果】
【０００６】  本発明を使用することによって、脱落しにくく、布製又はメッシュ製のため柔らかく、終日使用することが可能になり、早く仮性包茎を矯正することが、できるものである。終日使用するには、問題点がありましたが以下のように解決できるものである。
イ）公衆トイレでの装着したままでの小便の際にも、取り外すことなく下にはみだした紐を手前に隠せば隣の人にわからず済ませることができる。
ロ）公衆浴場においても、すぐ取り外すことが可能である。その取り外した器具を予め取り付けたトランクスの内側ポケットに入れるとか、ボタンを取り付けておいて、それに引っかけて輪を絞り、保管できる。
ハ）洗濯する場合も、小さいため手のひらでもみ洗いして、乾いたタオルと一緒に絞れば、早く乾くし、メッシュ製の場合は即、使用可能である。
ニ）スポーツをしている人、運転をしているドライバーの人、しゃがんで仕事している人も、下に紐が伸びているため包皮がめくり戻って来ることもなく、柔らかく、脱落しにくいため常時使用可能である。
また装着することによる二次的効果は、いわゆるカリが引っ掛かる効果も高められるので、カラーリングして継続して楽しみながら使用することができる。
【図面の簡単な説明】
【図１】本発明の斜視図
【図２】本発明の偏平状の布製紐（１）の裏面の斜視図
【図３】本発明の偏平状のメッシュ製の紐（１）の裏面の斜視図
【符号の説明】
１  偏平状の布製又はメッシュ製の紐
２  巻き込み防止策をとったストッパー
３  ストッパー
【図１】
2006043379.tif 000003
【図２】
2006043379.tif 000004
【図３】
2006043379.tif 000005
(57)【要約】【課題】  ごぼうの皮むきの時に、皮が飛び散らず、まな板を使用せずに皮を取り除くことができるごぼうの皮むき具を提供する。【解決手段】  トング型のはさみ部の両内側に刃を設け、ごぼうをはさんでしごきながら皮をむくことを特徴とするごぼうの皮むき具。【選択図】  図１
2006043371.tif 000002
【特許請求の範囲】
【請求項１】
トング型のはさみ部に刃を設け、ごぼうをはさんでしごきながら皮をむくことを特徴とするごぼうの皮むき具。
【請求項２】
刃をおろし刃にした請求項１のごぼうの皮むき具。
【発明の詳細な説明】
【技術分野】
【０００１】  本発明は、トング型のはさみ部に刃を設け、ごぼうをはさんでしごきながら皮をむくことができるように工夫したごぼうの皮むき具に関するものである。
【背景技術】
【０００２】  従来、ごぼうの皮をむく時は、洗ったあとまな板に置いて、包丁でこすり取っていた。
そのとき、皮が飛び散ってしまい、シンク周辺やエプロンを汚しやすかった。
又、アクが強いため、まな板が汚れやすく、新聞紙等を敷いて作業をしていた。
【発明の開示】
【発明が解決しようとする課題】
【０００３】  そのために、次のような問題点があった。
エプロンに付いた皮やアクがシミとなり、洗濯しても落ちにくかった。
まな板を漂白したり、後始末に手間がかかり効率が悪かった。
本発明は以上の問題点を解決しようとするものである。
【課題を解決するための手段】
【０００４】  トング型のはさみ部の両内側に刃を設ける。
そして、ごぼうをはさんでしごきながら刃で皮をむく。
以上を特徴とするごぼうの皮むき具である。
【発明の効果】
【０００５】  本発明は、ごぼうの皮をむく時に、はさみ部ではさみ、両刃で効率良く皮をむくことができる。
ごぼうの皮も飛び散ることがない。
したがって、エプロンやシンク周辺やまな板を汚すことがない。
【発明を実施するための最良の形態】
【０００６】  以下、本発明の実施の形態を説明する。
ほぼＵ字形の板バネで構成されたトング型の皮むき具本体（１）の、両先端のはさみ部（３）の両内側の中央に、刃（４）を各々設ける。
本発明は以上のような構造で、これを使用するときは、ごぼうの端を持ち、もう一方の手で上記の皮むき具の柄（２）を持って、はさみ部（３）でごぼうをはさむ。
そして、ごぼうの先に向ってしごくと、刃（４）があるために皮がむける。
皮が残った部分は、取り除く。
この結果、皮が飛び散らずエプロンや周辺を汚すことがない。
また、まな板も使用しなくてすむ。
【図面の簡単な説明】
【０００７】
【図１】本発明の斜視図である。
【図２】本発明の側面図である。
【図３】本発明の使用状態を示した斜視図である。
【符号の説明】
【０００８】１．皮むき具本体
２．柄
３．はさみ部
４．刃
【図１】
2006043371.tif 000003
【図２】
2006043371.tif 000004
【図３】
2006043371.tif 000005
(57)【要約】【課題】  かんきつ類の皮をむくときに、皮に切れめを入れて、手指や衣服を汚さずに皮をむくことができるように工夫した、かんきつ類の皮むき具を提供する。【解決手段】  柄の付いた皮むき部本体に、側刃と主刃を設け、側刃でかんきつ類の皮に切れめを入れ、主刃で皮をむくことを特徴とするかんきつ類の皮むき具。【選択図】  図１
2006043372.tif 000002
【特許請求の範囲】
【請求項１】
柄の付いた皮むき部本体に、側刃と主刃を設け、側刃でかんきつ類の皮に切れめを入れ、主刃で皮をむくことを特徴とするかんきつ類の皮むき具。
【発明の詳細な説明】
【技術分野】
【０００１】  本発明は、かんきつ類の皮をむくときに、皮に切れめを入れて、手を汚さずに皮をむくことができるように工夫した、かんきつ類の皮むき具に関するものである。
【背景技術】
【０００２】  従来、かんきつ類の皮をむくときは、手、指に力が入るために果汁や皮の油が飛び散って衣服や手指を汚したり、爪を痛めたりしていた。
握力の弱い人はかんきつ類を敬遠することも多かった。
包丁や、カッターを利用して、皮に切れめを入れるなどして皮をむいていた。
【発明の開示】
【発明が解決しようとする課題】
【０００３】  そのために、次のような問題点があった。
包丁やカッターで、皮に切れめを入れる場合もむくのは手作業になるために、指で実を傷つけて衣服を汚したり皮や、皮の油で手指や爪を汚しがちだった。
本発明は以上の問題点を解決しようとするものである。
【課題を解決するための手段】
【０００４】  湾曲した皮むき部本体の両側に切り欠き部と側刃を設け、先端を主刃とし柄を設ける。そして側刃を耳に見たて犬の顔のデザインを設ける。
側刃で皮に切れめを入れ、主刃を実と皮の間に入れて実のカーブに合わせて差し込みながら皮をむく。以上を特徴とするかんきつ類の皮むき具である。
【発明の効果】
【０００５】  本発明は、かんきつ類の皮をむくとき、皮に切れめを入れたり、皮をむいたりが１つで効率良くできる。
したがって、握力が弱い人もむきやすく、爪を痛めたり、手指を汚すことがない。
また、側刃は加工食品等のパック類を開けるときカッターとしても使用できる。
【発明を実施するための最良の形態】
【０００６】  以下、本発明の実施の形態を説明する。
（イ）湾曲した皮むき部本体（１）の上部両側に、側刃（２）を設ける。
（ロ）側刃（２）の下部両側に、切り欠き部（３）を設け、先端に主刃（４）を設ける。
（ハ）皮むき部本体（１）に、柄（５）を取り付ける。
（ニ）皮むき部本体（１）表面に犬の顔のデザイン（６）を設ける。
本発明は、以上の構成よりなっている。
本発明を使用するときは、柄（５）を持ってかんきつ類の皮に、側刃（２）の一方を使い４箇所程短かめ浅めの切れめを入れる。
むき口にも側刃（２）で切れめを入れ、主刃（４）を実と皮の間に差し込み、実のカーブに添って軽く押し気味に、皮むき部本体（１）を入れていく。
この結果、実を傷つけることなく、皮をむくことができる。
又果汁や皮の油で衣服や手指を汚すこともない。
また、側刃（２）はハ厶等のパックを開けるときにカッターとしても使用できる。
【図面の簡単な説明】
【０００７】
【図１】本発明の正面図である。
【図２】本発明の側面図である。
【図３】本発明の使用状態を示した斜視図である。
【符号の説明】
【０００８】１．皮むき部本体
２．側刃
３．切り欠き部
４．主刃
５．柄
６．顔のデザイン
【図１】
2006043372.tif 000003
【図２】
2006043372.tif 000004
【図３】
2006043372.tif 000005
(57)【要約】【課題】  足ぶみ板に着脱できる上紐と着脱できる接地板と着脱できる外反母趾矯正板をつけた履物を提供する。【解決手段】  足ぶみ板の脇に上紐の下端につけたバネ式接続吊金具を取付け、前、後上紐共足ぶみ板の脇に付けたバネ式接続吊金具受に取付け、足ぶみ板の下部に磁性体と突起棒を設け接地板上部に前、後共磁性体吸着金具を設け突起棒に合わせて足ぶみ板下部に装着し必要に応じて外反母趾矯正板を足ぶみ板上面先端に差込む。【選択図】  図１
2006043376.tif 000002
【特許請求の範囲】
【請求項１】
足ぶみ板の上部に着脱出来る前紐と後紐を接続金具で取付け、足ぶみ板下部に前接地板と後接地板を着脱自在としたことを特徴とする履物。
【発明の詳細な説明】
【技術分野】
【０００１】  本発明は足ぶみ板に上紐と接地板をつけた履物に関するものである。
【背景技術】
【０００２】  従来は足ぶみ板の上に紐のついた履物はあった。
【発明の開示】
【発明が解決しようとする課題】
【０００３】  そのために、次のような問題点があった。
（イ）上紐が切れたとき接着剤や鋲で上紐を打ち込んであるため紐が交換不能か技術性が高度なため処分していた。
（ロ）下部がすりへった時、交換部品がないため全部処分していた。
（ハ）色や模様が部品として無く、交換が技術も高度のため修理できなかった。
本発明は、これらの問題点を解決するためになされたものである。
【課題を解決するための手段】
【０００４】  足ぶみ板の上部にリングから四方に分かれる前紐と後紐の下端に接続金具によって足ぶみ板に接続され、足ぶみ板下部に前接地板と後接地板を磁性体と突起棒で取付け、左右前後ぶれを止め、足ぶみ板先端上部に外反母趾用矯正板を必要に応じてそなえることが容易に手早く着脱できることを特徴とする履物である。
【発明の効果】
【０００５】  上紐、足ぶみ板、接地板、外反母趾矯正板から成立つ履物であるため、一部が老朽化して使用不能になっても部品が容易に交換できるので無駄がきわめて少なく、部品を交換することで色や柄を選択できるので着物に合わせて楽しむことができる。したがって、ファッション性を格段に向上させ、必要に応じて外反母趾矯正板を取付けることができるので矯正効果も期待できる。また形状もつま先上がりなので体重のバランスをわずかに前又は後に移動することで右回転、左回転、つま先立ち、かかと回転が容易で路上、空地、庭、室内、駐車場等いつでもどこでも舞踊練習等には特に有効である。
従来の履物では底部が平らでスベリ止め加工をしているものが多く、抵抗が大きく路上、空地等での回転運動は足首をひねったりしてこのような動作には不向きで危険であった。
【発明を実施するための最良の形態】
【０００６】  以下、本発明の実施の形態について説明する。
（イ）足ぶみ板（１）の上部に調整リング（４）を中心に四方に分かれる前紐（５）を設けその四方下端にバネ式接続吊金具（８）を設け、後紐（６）の両端下部にバネ式接続吊金具（８）を設け後紐上部両端に調整金具（７）を設ける。
（ロ）足ぶみ板（１）の前後両側部にバネ式接続吊金具受（９）を設け、前記の前紐（５）と後紐（６）が着脱自在になるよう設けている。足ぶみ板（１）の下面に前後接地板取付用の磁性体（１０）を前後に埋込み固定し、左右前後ブレ止めに突起棒（１２）をその周囲に複数設ける。
（ハ）前接地板（２）と後接地板（３）の上部中央に磁性体吸着金具（１１）を埋込みネジ止めし、突起棒受穴（１３）をその周囲に複数設ける。
本発明は以上のような構成で、これを使用するときは、足ぶみ板（１）の前部上に調整リング（４）に前紐（５）を通しバネ式接続吊金具（８）を通し、足ぶみ板（１）の側面に付けたバネ式接続吊金具受（９）に取付ける。
足ぶみ板（１）下部に前接地板（２）を差込み、後接地板（３）を差込み足のつま先を前紐（５）の中に入れ足首を後紐（６）で巻きつけ調整金具（７）で調整してしめる。以上のようにしっかり足に固定して歩行又は回転動作を行う。
【実施例１】
【０００７】  図１に示すように足ぶみ板（１）に前紐（５）を取付け、後紐（６）を取付け、足ぶみ板（１）の下部に前接地板（２）と後接地板（３）を装着して足にしっかり固定して身体と一体になって前後左右、回転、歩行等を始める。
前紐、後紐等が切れた時、接地板がすりへった時、柄、色を変えたい時は各部品を簡単に交換することができる。
【実施例２】
【０００８】  外反母趾矯正板（１５）を外反母趾矯正板受小穴（１４）に差込むことで、必要に応じて矯正効果も期待できる。
【図面の簡単な説明】
【０００９】
【図１】本発明の斜視図
【図２】本発明の一部を切り欠いた側面図
【図３】本発明の足ぶみ板下面斜視図
【図４】本発明の接地板上面斜視図
【図５】本発明の一部を切り欠いた足ぶみ板、接地板正面断面図
【符号の説明】
【００１０】  １  足ぶみ板
２  前接地板
３  後接地板
４  調整リング
５  前紐
６  後紐
７  調整金具
８  バネ式接続吊金具
９  バネ式接続吊金具受
１０  磁性体
１１  磁性体吸着金具
１２  突起棒
１３  突起棒受穴
１４  外反母趾矯正板受小穴
１５  外反母趾矯正板
１６  磁性体吸着金具止ネジ
【図１】
2006043376.tif 000003
【図２】
2006043376.tif 000004
【図３】
2006043376.tif 000005
【図４】
2006043376.tif 000006
【図５】
2006043376.tif 000007
(57)【要約】【課題】  ハンガーの左右下部にひもをつけその先端にクリップを取り付けることにより、スカート又はパンツを複数吊るすことができるようにするための、複数のスカート又はパンツを小スペースで吊れるハンガーを提供する。【解決手段】  ハンガーの左右下部にそれぞれ２本１対のさまざまな長さの柔軟性のあるひもを付ける。各ひもの先端部にスカート又はパンツをとめるクリップを取り付ける。  以上のように装置することで複数のスカート又はパンツを小スペースで吊るせることを特徴とする、複数のスカート又はパンツを小スペースで吊れるハンガー。【選択図】    図１
2006043378.tif 000002
【特許請求の範囲】
【請求項１】
（イ）柔軟性がある同じ長さの２本１対のひもを、それぞれハンガーの左右下部に付ける。
（ロ）（イ）とは異なるさまざまな長さで、それぞれ１対は同じ長さの２本１対のひもを、それぞれハンガーの左右下部に付ける。
（ハ）各ひもの先端部に、スカート又はパンツを留めるクリップを取り付ける。
以上の如く構成された、複数のスカート又はパンツを吊れるハンガー。
【発明の詳細な説明】
【技術分野】
【０００１】  本発明は、ハンガーの左右下部にひもをつけその先端にクリップを取り付けることにより、スカート又はパンツを複数吊るすことができるようにするための、複数のスカート又はパンツを小スペースで吊れるハンガーに関するものである。
【背景技術】
【０００２】  従来のスカート又はパンツを吊るすことができるハンガーは、スカート又はパンツを１着しか吊るすことができなかったため、スカートとパンツがセットになっているスーツ又は２着のパンツがセットになっているスーツの収納をひとつのハンガーでできなかった。
また、スカート又はパンツを単独で収納するさいには、ひとつのハンガーで１着しか吊るすことができないため、多くのスペースが必要となっていた。これらのことは、日常生活においてきわめて煩わしいことであった。
【発明の開示】
【発明が解決しようとする課題】
【０００３】  そのために次のような問題点があった。
（イ）セットになっているスーツであるのに、２個以上のハンガーを使用して収納しなければならなかった。
（ロ）ひとつのハンガーにまとめようとすると、クリップ部にはスカート又はパンツの腰のゴムの部分を２着重ねることとなり、クリップ部にてとめることが難しくクリップ破損の原因になっていた。
（ハ）クリップにてとめた場合、相当の厚さとなり多くの収納スペースが必要となっていた。特に腰のゴムの部分及びポケットの部分においてはもともと他所より厚い部分のため、非常に厚くなってしまっていた。
本発明は、以上の問題点を解決するためになされたものである。
【課題を解決するための手段】
【０００４】  いま、その構成を説明すると、
（イ）ハンガーの左右下部に２本１対の柔軟性のあるひもを付ける。
（ロ）（イ）とは異なる数種類の長さの２本１対のひもをそれぞれハンガーの左右下部に付ける。
（ハ）各ひもの先端部にスカート又はパンツをとめるクリップを取り付ける。
以上のように装置することで、複数のスカート又はパンツを小スペースで吊るせる。以上を特徴とする複数のスカート又はパンツを小スペースで吊れるハンガーである。
【発明の効果】
【０００５】  簡単に複数のスカート又はパンツを吊るすことができ、スカート又はパンツの厚い部分も重ならないため、小スペースで収納できる。
【発明を実施するための最良の形態】
【０００６】  以下、本発明の実施の形態について説明する。
（イ）ハンガー本体（１）の左右下部に、２本１対の異なる長さの柔軟性のあるひも（２）を付ける。
（ロ）各ひもの先端部にスカート又はパンツをとめるクリップ（３）を取り付ける。
本発明は以上のような構造で、これを使用するときは、ひも（２）の長さを異なるようにしたため、スカート又はパンツの腰のゴムの部分やポケットの部分など他所に比べて厚い部分が重ならず全体的に厚くならないため、スカート及びパンツとスーツ上着又はパンツ２着とスーツ上着をセットで吊るせる。
なお、ひも（２）及びクリップ（３）の数を数箇所にしても、ひも（２）の長さを異なるものとすることで上記のスカート及びパンツの厚い部分が常に重ならない状態にすることができるため、複数のスカート及びパンツを吊るせる。
また、ひも（２）は柔軟であるためいかなる厚さの複数のスカート又はパンツでも簡単に吊るせる。
したがって、複数のスカート又はパンツを同時にひとつのハンガーで吊るすことができる。衣類をコンパクトにまとめられるため、小スペースでの収納ができる。
【図面の簡単な説明】
【０００７】
【図１】本発明の斜視図
【図２】本発明の使用状態を示す側面図
【符号の説明】
【０００８】１  ハンガー本体
２  柔軟性のあるひも
３  クリップ
【図１】
2006043378.tif 000003
【図２】
2006043378.tif 000004
(57)【要約】【課題】ゴム状バンドの輪に装着用紐を設けた睡眠時口呼吸予防用具を提供する。【解決手段】ゴム状バンドの輪の両端に装着用紐を設け、その後部に既存の固定方法を用いた部分を設けたことを特徴とする睡眠時口呼吸予防用具。【選択図】図１
2006043380.tif 000002
【特許請求の範囲】
【請求項１】
ゴム状バンドの輪の両端に、当該ゴム状バンドの輪を口周りに口を閉じたままの状態で装着できるように形成された装着用紐を設けたことを特徴とする睡眠時口呼吸予防用具。
【発明の詳細な説明】
【技術分野】
【０００１】  本発明は、睡眠時の口呼吸が原因となるイビキ、口臭、口の渇き、咽喉の痛み、その他の弊害を予防するための、ゴム状のバンドの輪に装着用紐をつけた睡眠時口呼吸予防用具に関するものである。
【背景技術】
【０００２】  従来、睡眠時口呼吸が原因となる弊害の予防に対し、テープで唇をふさぐ方法がとられていた。
【発明の開示】
【発明が解決しようとする課題】
【０００３】  これには、次のような問題があった。
（イ）  毎回新しいテープが必要であり、使用中一度剥がれた時にもテープを付け替える必要があった。
（ロ）  強く貼り付けると、睡眠中に咳や息苦しくなったときなど緊急時に危険を伴った。
本発明は、これらの問題点を解決するためになされたものである。
【課題を解決するための手段】
【０００４】  閉じた唇を囲む大きさのゴム状バンドの輪の両端に、当該ゴム状バンドの輪を口周りに口を閉じたままの状態で装着できるように形成された装着用紐を設ける。その装着用紐の後部は、耳掛け状やヘッドバンド状などの既存の装着、固定方法を用いた部分を有し、装着できることを特徴とする唾眠時口呼吸予防用具である。
【発明の効果】
【０００５】  睡眠時の無意識状態においても唇が閉じた状態を維持でき、咳や息苦しくなるなどの口に力が入った時には唇が自由に開き呼吸できるので、睡眠時にきわめて安全に使用でき、口呼吸が起因となるイビキ、口臭、口の渇き、咽喉の痛みなど多くの弊害の予防ができる。また、口を大きく開くとこの用具が外れることも安全性につながり、その場合も速やかに装着しなおせる。
【発明を実施するための最良の形態】
【０００６】  以下、本発明の実施の形態について説明する。
皮膚かぶれしにくく、摩擦抵抗、弾力性、伸縮性のある有意の幅を持つ、閉じた唇の周囲を囲む大きさのゴム状素材のバンドの輪（１）の両端に耳をさけ後頭部に掛けることができるように輪状に形成された伸縮性素材の装着用紐（２）を設ける。
本発明は以上のような構成で、これを使用するときには、バンドの輪（１）の平らな面を閉じた唇の周囲をとりまく口輪筋に添って上から押し当て、装着用紐（２）の取付け部を両口角辺りに合せ後方に引きながら後頭部で固定する。この状態で口に力を入れないかぎり、唇が閉じた状態になる。
また、図３に示すように、装着用紐（２）の後部の形状を耳に掛けることができるように左右輪状に形成されたものにしてもよい。
【図面の簡単な説明】
【０００７】
【図１】本発明の正面実施図
【図２】本発明の斜視回
【図３】本発明の第二の実施の形態斜視図
【符号の説明】
【０００８】１バンドの輪
２装着用紐
【図１】
2006043380.tif 000003
【図２】
2006043380.tif 000004
【図３】
2006043380.tif 000005
(57)【要約】【課題】茹でた栗の中身を傷つけたりして切断してしまうことなく、栗の皮（殻）だけを剥く（割る）ための器具を提供しようとする。【解決手段】切刃体と栗受部を本体の先端に交差させて設け、把手部との交差部分を枢結し、挟圧作用部（切刃体と栗受部）を互いに垂直に対向させると共に、挟圧作用部には薄刃の両刃を形成し、さらには栗受部には楕円状の縁を設ける。又、切刃体が前記楕円状の縁に当たらない為の切り込みを前記縁の２ヶ所に設け、栗受部を形成した挟圧作用部の、その栗受部の枢結部寄りの端部から、水平位置にして栗受部の縁に入れた切り込み下の高さに至るまで枢結部方向へ湾曲した板状としてストッパーを形成した、茹で栗割り器である事を特徴とする。【選択図】図１
2006043377.tif 000002
【特許請求の範囲】
【請求項１】
イ、切刃体と栗受部側を交差させて挟圧作用部の先端に設け、当該交差部分を、枢結して、はさみ状の本体とする。
ロ、挟圧作用部を互いに垂直に対向させると共に、挟圧作用部（栗受部側）には茹で栗を置く為の受け皿を設け、もう一方の挟圧作用部には薄刃の両刃を有し切刃体とし、切刃体は多少反った形状とする。
ハ、栗受部には楕円状の縁を設け皿状とし底部は平らな形状をなし、縁には切刃体が当らない為に２ヶ所の切り込みを設ける。
ニ、切刃体が茹で栗を二つに割るのを防ぐ為に栗受部を形成した挟圧作用部の、その栗受部の枢結部よりの端部から、水平位置にして栗受部の縁に入れた切り込み下の高さに至るまで枢結部方向へ湾曲した板状としてストッパーを形成する。
以上のごとく構成された、茹で栗割り器。
【発明の詳細な説明】
【技術分野】
【０００１】本発明は、茹でた栗の皮（殻）を、中身の栗自体を切断する事なく割る為の茹で栗割り器に関するものである。
【背景技術】
【０００２】
【特許文献１】特開昭５０−７６２８１号
【特許文献２】特開昭５９−２０７１１号
【特許文献３】実開昭６２−６９９３８号
【特許文献４】実開昭５９−２２６１６号
【特許文献５】実開平１−６２７２２号
【特許文献６】実開平５−１８４１７号
【０００３】  特許文献１、特許文献２、特許文献３、においては、栗の実の皮を剥く皮剥き器としては、ヘラ刃で構成され、ヘラ刃を実の部分と皮の間に差し込むタイプのものが開示されている。特許文献４、については挟持刃で皮を切り取る爪切り型の物が開示され、特許文献５、においては、はさみ状にして力部の一方を切り刃として、他方を抑え刃部としたものが開示されている。
特許文献６（考案の名称：栗の皮剥き器）にあっては、はさみ状の器具にして、挟圧作用部を水平に対向させ、一方を鋸歯状の受刃体とし、受刃体の外側端縁が栗の皮に食い込むようにし、また他方を両刃の刃体とし且つ切刃体を受刃体の中心線と対向させ、挟圧作用部を表裏対象としたものであり、皮剥き方向を任意に選択する事の出来る皮剥き器が開示されている。
【発明の開示】
【発明が解決しようとする課題】
【０００４】  上記特許文献に見られる様に、主にヘラ状のものや爪切状のもの又、はさみ状の器具がある。なかでもはさみ状の物は皮剥きとしてはとても良い物である。鋸歯状の受刃対で栗を押さえ込み、他方で皮を剥くという方法である。
しかしながら手で押さえなくてはならないので、かなりのコツが必要であり又、指も疲れる事が考えられる。本発明は茹で栗を持たなくて良い、指の疲れもない、この様な特徴を持つ茹で栗割り器を提供しようとする。
【課題を解決するための手段】
【０００５】  本発明は、切刃体と栗受部側を交差させて挟圧作用部の先端に設け、把手部との交差部分を垂直に対向させ枢結してはさみ状の本体とし、一方の挟圧作用部には茹で栗を置く為の栗受部を設け、他方の挟圧作用部には薄手の両刃を有する切刃体を設け、さらには茹で栗自体が二つに切断されるのを防ぐ為のストッパーから成る茹で栗割り器。
【発明の効果】
【０００６】  茹で栗は食べたいが、皮（殻）剥きが面倒臭いと思っている人や、女性の方でも扱いやすく、把手を開けた時に、切刃体に栗が半割り状態のまま付いて来るので取り外しやすくなる事で、食べるのに大変便利である。
【発明を実施するための最良の形態】
【０００７】  以下、本発明の実施例について説明する。
切刃体（４）と、栗受部（３）を交差させて挟圧作用部先端に形成し、把手と挟圧作用部と垂直に対向させ、当該交差部分を枢結してはさみ状にし本体（１）とする。挟圧作用部（Ａ）には、薄手の両刃を設け切刃体（４）とし、且つ切刃体は、多少反った形状とする事により刃が栗の皮に食い込み易くなる。
栗受部（３）は、楕円状の縁（５）を設けた皿状とし、底部は平な形状とし、縁を設ける事により栗を置いた時に安定感が有り、又、切刃体（４）が栗に食い込む時に栗がずれない為でもある。前記縁（５）の高さは出来るだけ低くする事により、把手（Ｃ）、（Ｄ）を大きく広げる事なく栗を置く事が出来る。又栗受部の縁（５）に切り込みを入れる事により、栗を割る時に、栗受部先端の切込みによりさらに固定しやすくなる。又、図１ないし図３に示すように栗受部（３）の枢結部（２）寄りの端部から、水平位置にして栗受部の縁（５）に入れた切り込み下の高さに至るまで、枢結部（２）方向へ湾曲した板状としてストッパー（６）を形成する。このストッパーにより栗受部の底に切刃が当たるのを防ぐ事にもなり、ひいては茹で栗自体を切断する事なく皮を割る事になる。
【図面の簡単な説明】
【０００８】
【図１】  本発明の斜視図である。
【図２】  本発明の側面図である。
【図３】  本発明の栗受部の斜視図である。
【符号の説明】
【０００９】１  本体
２  枢結部
３  栗受部
４  切刃体
５  楕円状の縁
６  ストッパー
Ａ  挟圧作用部（切刃体側）
Ｂ  挟圧作用部（栗受部側）
Ｃ  把手（栗受部側）
Ｄ  把手（切刃体側）
【図１】
2006043377.tif 000003
【図２】
2006043377.tif 000004
【図３】
2006043377.tif 000005
(57)【要約】【課題】  最近は折りたたみ式の履物の考案されてきているが、足の甲をつつみこむ部分が足裏と垂直方向であることから、運搬・保管に便利な長方形とは大きく異なった形状となっていた。また、足の甲をつつみこむ部分を固定する為に接着剤等を利用する必要があり、製造コストも多くかかっていた。【解決手段】  開いた時は、長方形に近い形状であり、足裏と平行に設置された足の甲の部分をつつみこむ部分を折り曲げることにより、低価格で製造・運搬・保管を低コストで実現できる履物が製造できる。【選択図】  図１
2006043381.tif 000002
【特許請求の範囲】
【請求項１】
開いた時には足裏の部分と足の甲をつつみこむ部分とが平行方向になっており、足の甲をつつみこむ部分を折り曲げることにより、足の甲をつつみこむ部分と足裏の部分とを垂直方向にすることを特徴とする折りたたみ式の履物。
【請求項２】
足の甲をつつみこむ部分に切れ込みを入れることで、接着材を利用せずに足の甲をつつみこむ部分を固定することを特徴とする折りたたみ式の履物。
【請求項３】
足の甲をつつみこむ部分に切れ込みを入れることで、接着材を利用せずに足の甲をつつみこむ部分を固定することを特徴とする請求項１の履物。
【発明の詳細な説明】
【技術分野】
【０００１】  本発明は、折りたたみ式の履物に関する。
【背景技術】
【０００２】  乗り物やホテル、家庭で利用するスリッパ等の履物に関しては、使い捨て可能な低価格な製品も市場に出回っているが、形状が立体的である為、製造・運搬に相当なコストがかかっていた。
【発明の開示】
【発明が解決しようとする課題】
【０００３】  最近は折りたたみ式の履物が考案されてきているが、足の甲をつつみこむ部分が足裏と垂直方向であることから、運搬・保管に便利な長方形とは大きく異なった形状となっていた。また、足の甲をつつみこむ部分を固定する為に接着剤等を利用する必要があり、製造コストも多くかかっていた。【０００４】  本発明は、前記した問題点を解決せんとするもので、その目的とするところは、足裏と平行に設置された足の甲をつつみこむ部分を折り曲げることにより、開いた状態では、長方形に近い形状であり、また甲をつつみこむ部分に切れ込みを入れることにより、接着材を不要とすることも可能とした、低価格で製造・運搬・保管が可能な履物を提供せしめんとすることにある。
【課題を解決するための手段】  前記目的を達成するために、本発明による履物は、次に記載するような特徴的な構成を採用している。【０００５】  （１）開いた状態では、左右どちらか一方もしくは左右両方に設置された、足の甲をつつみこむ部分と、足裏の部分とが水平もしくは水平に近い状態となっている。【０００６】  （２）足の甲をつつみこむ部分は、折り曲げることにより、足裏と垂直な方向になる。折り曲げられた、足の甲をつつみこむ部分と足裏の部分を接着材等で固定するか、もしくは折り曲げられた左右２つの足の甲をつつみこむ部分を接着剤等で固定することにより、履物としての機能を有する。【０００７】  （３）また、左右の足の甲をつつみこむ部分に複数の切れ込みを入れて、相互に交差させることにより、接着材をつかうことなく、足の甲をつつみこむ部分を固定できる。切れ込みを多く入れることで、足の甲をつつみこむ部分の広さの調整も可能となる。このことにより、低価格で製造・保管・運送が可能な折りたたみ式の履物が可能となる。
【発明を実施するための最良の形態】
【０００８】  図１及び図２及び図３は本発明の請求項１の形態における履物の概略図を示している。１は折り曲げることにより足の甲をつつみこむ部分。２は足裏の部分である。３は折り目である。以下、本発明に係るシステムの実施の形態を図と共に説明する。【０００９】  開いた状態では、図１のように、足裏の部分２と、足の甲をつつみこむ部分１は水平もしく水平に近い方向となっている。【００１０】  足の甲をつつみこむ部分１は、図２のように、山折りするか、もしくは同じ折り目で谷折りすることにより、足裏の部分２と平行となる。【００１１】  さらに、足の甲をつつみこむ部分１を図３のように谷折りをすることにより、足の甲をつつみこむことが可能となる。図１、図２、図３に記載してあるとおり、足の甲をつつみこむ部分１を左右に有する場合は、左右の足の甲をつつみこむ部分１どうしを接着剤等で固定することにより、履物としての機能を有する。足の甲をつつみこむ部分１が左右どちらかにしかない場合は、足の甲をつつみこむ部分１と足裏の部分２を接着剤等で固定することにより、履物としての機能を有する。【００１２】  図４及び図５及び図６は本発明の請求項２及び請求項３の形態における履物の概略図を示している。１１は折り曲げることにより足の甲をつつみこむ部分、１２は足裏の部分、１３は折り目、１４は折り曲げることにより足の甲をつつみこむ部分１１に入れた切れ込みである。折り曲げることにより足の甲をつつみこむ部分１１に入れた切れ込み１４を、図５のように相互に交差させることにより、左右の折り曲げることにより足の甲をつつみこむ部分１１を固定することが可能となる。なお、図６に記載のとおり、切れ込みの方向に関しては、必ずしも図４と同一でなくとも、折り曲げることにより足の甲をつつみこむ部分１１を固定する機能を有することは当然のことであるが、切れ込みを複数入れることにより、足の甲をつつみこむ部分の広さを調整することも可能である。【００１３】  以上の発明により、非常に単純なしくみで、低いコストで折りたたみ式の履物の製造が可能となる。形状によっては、長方形の紙１枚に切れ込みをいれることで履物としての機能を有することが可能となるなど、産業上のメリットは大きい。
【図面の簡単な説明】
【００１４】
【図１】本発明の請求項１における履物の開いた時の平面図である。
【図２】本発明の請求項１における履物を１回折り曲げた平面図である。
【図３】本発明の請求項１における履物を２回折り曲げた平面図である。
【図４】本発明の請求項２における履物の開いた時の平面図である。
【図５】本発明の請求項２における履物の折りたたんだ後の平面図である。
【図６】本発明の請求項２における履物の開いた時の平面図の別図面である。
【符号の説明】
【００１５】  １          折り曲げることにより足の甲をつつみこむ部分
２          足裏の部分
３          折り目
１１        折り曲げることにより足の甲をつつみこむ部分
１２        足裏の部分
１３        折り目
１４        折り曲げることにより足の甲をつつみこむ部分１１に入れた切れ込み
【図１】
2006043381.tif 000003
【図２】
2006043381.tif 000004
【図３】
2006043381.tif 000005
【図４】
2006043381.tif 000006
【図５】
2006043381.tif 000007
【図６】
2006043381.tif 000008
(57)【要約】【課題】  洗顔の時、使いかけの石鹸をネットの袋に入れて泡だて、使用後はフックに掛けられる、洗顔石鹸が入れられる泡たてネットを提供する。【解決手段】  開口部のあるネットの袋を設け、外ネットを周囲に設け石鹸を入れて泡だて使用後は掛けられることを特徴とする洗顔石鹸が入れられる泡たてネット。【選択図】  図１
2006043390.tif 000002
【特許請求の範囲】
【請求項１】
開口部のあるネットの袋を設け、外ネットを周囲に設け、石鹸を入れて泡だて使用後は掛けられることを特徴とする洗顔石鹸が入れられる泡たてネット。
【請求項２】
ネットをオーガンジーにした請求項１の洗顔石鹸が入れられる泡たてネット。
【発明の詳細な説明】
【技術分野】
【０００１】  本発明は洗顔をする時に、石鹸を入れて泡をたて、泡がしごき取れる石鹸が入れられる泡たてネットに関するものである。
【背景技術】
【０００２】  従来、泡たてネットはあったが石鹸が入れられず、サンプルや使いかけの石鹸は石鹸皿に入れていた。
【発明の開示】
【発明が解決しようとする課題】
【０００３】  そのために、次のような問題点があった。
洗顔石鹸を石鹸皿に置いていると溶けやすい。また、小さくなったものは扱いにくく、従来の泡たてネットを使用しても泡だてにくかった。
本発明は以上の問題点を解決しようとするものである。
【課題を解決するための手段】
【０００４】  開口部のあるネットの袋を設け、袋より長めのネットを周囲に設ける。そして、サンプルや使いかけの石鹸を入れ、泡だててしごき取り、使用後はフックに掛けておく。
以上を特徴とする洗顔石鹸が入れられる泡たてネットである。
【発明の効果】
【０００５】  本発明は洗顔の時ネットの袋にサンプルや使いかけの石鹸を入れて、多くの泡を立てることができる。泡で洗うので汚れも落ちやすく、使用後はフックに掛けられる。したがって、水切れがよく石鹸が長持ちする。また、石鹸を入れずに使用することもでき、他の洗顔料も泡をたてられる。
【発明を実施するための最良の形態】
【０００６】  以下、発明の実施の形態について説明する。
（イ）ネット袋（１）に開口部（２）を設け、周囲にネット袋（１）より長めの外ネット（３）を設ける。
（ロ）開口部（２）にヒモ通し部（４）を設け、ヒモ（５）を通す。
（ハ）ヒモ（５）に止め具（６）を設ける。
本発明は以上の構成よりなっている。
本発明を使用する時は、ネット袋（１）に石鹸を入れ、ヒモ（５）を締め、止め具（６）で止める。そして、ネット全体を使って泡をたて、外ネット（３）の下部でしごき取る。使用後はヒモ（５）をフックに掛けておくので、水切れがよく衛生的である。
この結果、高価な洗顔石鹸も無駄なく使い切ることができる。また、石鹸を入れず通常の泡たてネットとしても使用することができる。
【図面の簡単な説明】
【０００７】
【図１】本発明の斜視図
【図２】本発明の使用状態を示した斜視図
【符号の説明】
【０００８】１．  ネット袋
２．  開口部
３．  外ネット
４．  ヒモ通し部
５．  ヒモ
６．  止め具
７．  洗顔石鹸
【図１】
2006043390.tif 000003
【図２】
2006043390.tif 000004
(57)【要約】【課題】  時間がたってしまった飲み物は冷めておいしさが半減してしまい、温めるのに手間がかかるため、希望の温度まで手軽に加熱するための器具を提供する。【解決手段】  飲み物に入れる加熱器に、温度センサーとヒーターを設け、希望の設定温度まで飲み物を加熱する。【選択図】  図１
2006043387.tif 000002
【特許請求の範囲】
【請求項１】
温度センサーとヒーターを有した飲み物用加熱器。
【請求項２】
上記加熱器のヒーターにより、希望の設定温度まで手軽に飲み物等を温めることができる飲み物用加熱器。
【発明の詳細な説明】
【技術分野】
【０００１】  本発明は、飲み物の加熱に関するものである。
【背景技術】
【０００２】  従来、冷めた飲み物やスープを加熱しなおすのに手間がかかっていた。または、冷めたものを飲んでいた。
【発明の開示】
【発明が解決しようとする課題】
【０００３】  時間がたって冷めてしまった飲み物は、他の器に移動したり、加熱する機械に入れるなど、温めなおすのに手間がかかる。【０００４】  本発明は、このような問題を解決しようとするものであり、冷めた飲み物等を他の器に移動せずに手軽に希望の温度まで温めることを目的とするものである。
【課題を解決するための手段】
【０００５】  本発明は上記目的を達成するために、センサーとヒーターを設けたもので、温めたい飲み物に入れると、希望の温度まで加熱することができる。【０００６】  つまみを取り付けることにより、加熱源から断熱することができ、温め終わった際につまみをつかみ簡単に容器の外に出せるようになる。【０００７】  センサーにより、飲み物の温度を測ることができる。また、希望温度を設定し、希望温度に至ると加熱が終わる仕組みとする。【０００８】  電気ヒーターにより、飲み物を設定温度まで温める仕組みとする。ヒーターは飲み物の温度が設定温度まで達すると止まる。
【発明の効果】
【０００９】  上述したように本発明は、飲み物に入れて希望温度を設定すると、加熱が始まる。温度が希望温度に達すると加熱は終わるので、手軽に飲み物を温めることができる。
【発明を実施するための最良の形態】
【００１０】  本発明の実施の形態を図面に基づいて説明する。【００１１】  図１において飲み物用加熱器の本体は、ヒーター２とセンサー３を有する。また、表示板４には飲み物の温度と、希望設定温度が表示される。【００１２】  加熱したい飲み物が入ったコップ等の中に、飲み物用加熱器の本体を入れる。この際、挟み込み部分５を飲み物が入ったコップ等の容器の淵に挟むと、出し入れがしやすい。表示板４には、センサー３が感知した飲み物の現在の温度が一方に表示されるので、何度まで加熱するかという希望の温度をもう一方に設定する。【００１３】  飲み物等の温度が希望の設定温度まで加熱されると、加熱が終わる。取り外す際は挟みこみ部分５を容器からはずし、つまみ６を持つ。
【図面の簡単な説明】
【００１４】
【図１】  本発明の実施形態を示す飲み物用加熱器正面図
【符号の説明】
【００１５】１  コード
２  ヒーター
３  センサー
４  表示板
５  挟み込み部分
６  つまみ
【図１】
2006043387.tif 000003